(57)【特許請求の範囲】
【請求項１】
ブラジャー部とウエスト部とガードル部とを一体に備え、少なくともブラジャー部のカップ部以外の部分が伸縮性素材から形成されてなるボディスーツであって、
後身頃は、２つの伸縮性布地と、帯状背面布とから構成されており、
前記２つの伸縮性布地は、右肩紐の接続部から背中に至る部分に設けられた伸縮性布地と左肩紐の接続部から背中に至る部分に設けられた伸縮性布地とが背中部分にて交差して重なり合っており、その下端部は前記帯状背面布の上端部に縫着されており、
前記２つの伸縮性布地の左右端部及び前記帯状背面布の左右端部は、前身頃と後身頃とを上下方向全体にわたって繋ぐ側部布に対して縫着されており、
前記重なり合った伸縮性布地の上辺同士の交差部分をブラジャー部におけるカップ部のアンダーラインと略同じ高さに設けたことを特徴とするボディスーツ。
【発明の詳細な説明】
【０００１】
【発明の属する技術分野】
本発明はボディスーツに係り、その目的は優れた体型補整機能と身体への着脱の容易さをバランス良く両立することが可能なボディスーツを提供することにある。
【０００２】
【従来の技術】
バスト、ウエスト、ヒップを含む胴部全体を覆い、ボディラインを美しく整えるための補整用下着として、ブラジャー、ウエストニッパー、ガードルが一体化されたボディスーツが存在している。
このようなボディスーツは、着用者の身体を締めつけることで体型を補整するものであるから、着用した状態においては当然身体に対する適度なフィット感が要求される。
ところが、このような着用後のフィット感の追求は着やすさを低下させることにつながり、例えば、図７の背面図に示したような一般的な従来のボディスーツ（Ａ）では、後身頃（Ｂ）の上端部は１枚布で単にＵ字状にくびれているのみであって、着用動作時において上部の開口部（Ｃ）は前後及び左右方向に少ししか拡がらない（図８参照）。そのため、着用の際には素材の伸縮性によって縮んだ状態の狭い開口部（Ｃ）から脚を差し入れなければならず、非常に着にくく、また着用した後には脱ぎにくいという問題があった。
一方、着脱を容易にするために、ウエストニッパー部の前部をファスナーで開閉可能としたボディスーツも存在しているが、このようなボディスーツは前部の伸びが抑えられるために着用後の運動性が阻害されるとともに、着丈の調節があまりできないといった問題があった。
【０００３】
【発明が解決しようとする課題】
本発明はかかる実情に鑑みてなされたものであって、着用後においては身体への適度なフィット感が得られて優れた体型補整機能を発揮することができるとともに運動性や着丈の調節が阻害されることなく、着用の際には容易に着ることが可能であるボディスーツを提供せんとするものである。
【０００４】
【課題を解決するための手段】
請求項１に係る発明は、ブラジャー部とウエスト部とガードル部とを一体に備え、少なくともブラジャー部のカップ部以外の部分が伸縮性素材から形成されてなるボディスーツであって、後身頃は、２つの伸縮性布地と、帯状背面布とから構成されており、前記２つの伸縮性布地は、右肩紐の接続部から背中に至る部分に設けられた伸縮性布地と左肩紐の接続部から背中に至る部分に設けられた伸縮性布地とが背中部分にて交差して重なり合っており、その下端部は前記帯状背面布の上端部に縫着されており、前記２つの伸縮性布地の左右端部及び前記帯状背面布の左右端部は、前身頃と後身頃とを上下方向全体にわたって繋ぐ側部布に対して縫着されており、前記重なり合った伸縮性布地の上辺同士の交差部分をブラジャー部におけるカップ部のアンダーラインと略同じ高さに設けたことを特徴とするボディスーツに関する。
【０００５】
【発明の実施の形態】
以下、本発明に係るボディスーツの好適な実施形態について図面に基づいて説明する。
図１は本発明に係るボディスーツの正面図、図２は本発明に係るボディスーツの背面図、図３は本発明に係るボディスーツの側面図、図４は本発明に係るボディスーツの特徴を示す説明図、図５は本発明に係るボディスーツを着用した状態を示す正面斜視図、図６は本発明に係るボディスーツを着用した状態を示す背面斜視図である。
本発明に係るボディスーツ（１）は、ブラジャー部（２）とウエスト部（３）とガードル部（４）とを一体に備えており、少なくともブラジャー部（２）のカップ部以外の部分は伸縮性素材から形成されている。
【０００６】
ブラジャー部（２）には、通常のブラジャーと同様に左右一対のカップ部（２１）が設けられるとともに、各々のカップ部（２１）の上方には肩紐（５）が取り付けられている。このブラジャー部（２）は、乳房を理想的な形状に整え、バスト全体を美しく形付けるというブラジャー本来の機能を有している。
カップ部（２１）の素材としては、通常のブラジャーにおいて用いられる素材をいずれも好適に使用することができ、非伸縮性、伸縮性のいずれのものであってもよく、例えばダブルトリコット等が使用される。
【０００７】
また、ウエスト部（３）は着用者のウエストを締めつけてウエストラインを美しく補整する機能を、ガードル部（４）は着用者のヒップを持ち上げてヒップラインを美しく補整する機能をそれぞれ有しており、これらの部分にはいずれも伸縮性素材が使用される。
また、ガードル部（４）はスナップ等の係止具によって股下部にて繋ぎ合わされており、該係止具による係止を外すことによって股下部を前後に分離することが可能となっている。
【０００８】
本発明に係るボディスーツ（１）では、後身頃（６）における右肩紐（５１）の接続部から背中に至る部分に設けられた伸縮性布地（７）と、左肩紐（５２）の接続部から背中に至る部分に設けられた伸縮性布地（８）とが交差するように、前身頃と後身頃とを繋ぐ側部布（１０）（１１）に対して縫着されており、布地（７）と布地（８）とは背中の略中心部分で重なり合っている（図２及び図６参照）。尚、本明細書においては、伸縮性布地（７）、（８）と帯状背面布（１３）から構成される部分を後身頃（６）と称している。
【０００９】
具体的には、上端部に右肩紐（５１）が接続された布地（７）の右端部（右辺部）は、前身頃（９）と後身頃（６）とを上下方向全体にわたって繋いでいる右側の側部布（１０）と縫着され、左端部（左辺部）は前身頃（９）と後身頃（６）とを上下方向全体にわたって繋いでいる左側の側部布（１１）と縫着されている。また、上端部に左肩紐（５２）が接続された布地（８）の右端部（右辺部）は右側の側部布（１０）と縫着され、左端部（左辺部）は左側の側部布（１１）と縫着されている。
そして、これらの布地（７）（８）の下端部（下辺部）は、後身頃（６）の背中中心のやや下方位置から股下布（１２）の上部にかけて設けられた帯状背面布（１３）のＶ字状に形成された上端部（１３ａ）に縫着されている。尚、帯状背面布（１３）は縦方向に一体に縫着された左右２枚の布からなり、その下端部は股下布（１２）に縫着され、右端部は右側の側部布（１０）と、左端部は左側の側部布（１１）とそれぞれ縫着されている。
つまり、布地（７）と布地（８）とは、重なり部分の左右辺部及び下辺部においてのみ縫着されており、重なり部分自体は前後方向に拡げることが可能な袋状になっている。
【００１０】
また、布地（７）の右肩紐（５１）との接続部から左側の側部布（１１）に至る上辺部（７ａ）、及び布地（８）の左肩紐（５２）との接続部から右側の側部布（１０）に至る上辺部（８ａ）は布地が二枚重ねとなっており、これによって布地の強度が補強されている。
【００１１】
布地（７）（８）の素材としては、一方向に伸縮可能なワンウェイ伸縮布や二方向に同時に伸縮可能なツーウェイ伸縮布等の伸縮性を有する繊維が好適に使用され、より好ましくはツーウェイ伸縮布が使用される。
具体的には、ウレタン芯材にナイロンや綿を巻き付けた糸でニット編みされたパワーネットやサテンネット等を好適に使用することができる。
【００１２】
本発明に係るボディスーツ（１）では、上記したように、後身頃（６）における右肩紐（５１）の接続部から背中に至る部分の布地（７）と、左肩紐（５２）の接続部から背中に至る部分の布地（８）とが背中の略中心部分で重なり合うように交差して縫着されていることによって、この部分が１枚布から構成された従来のボディスーツに比べてボディスーツ（１）の上部開口部（１４）を大きく拡げることが可能となり（図４参照）、非常に着やすく、また脱ぎやすくなる。
特に、布地（７）（８）がパワーネットやサテンネット等のツーウェイ伸縮布から構成されていると、着脱の容易性が一層優れたものとなる。
【００１３】
上記した後身頃（６）における右肩紐（５１）の接続部から背中に至る部分の布地（７）と、左肩紐（５２）の接続部から背中に至る部分の布地（８）との上辺同士の交差部分（１５）は、ブラジャー部（２）におけるカップ部（２１）のアンダーライン（１６）と略同じ高さとされる。好ましくはアンダーライン（１６）よりも少し上方位置とされるが、同一高さもしくは少し下方位置としてもよい。
このように、布地（７）（８）の上辺同士の交差部分（１５）とカップ部（２１）のアンダーライン（１６）を略同じ高さとするのは、着脱の容易さとフィット感をバランス良く両立させるためである。すなわち、該交差部分（１５）がアンダーライン（１６）よりも高すぎるとフィット感には優れるが着脱が困難となり、逆に低すぎると着脱は容易となるがフィット感が低下するため、いずれの場合も好ましくないのである。
【００１４】
【発明の効果】
以上説明したように、請求項１に係る発明は、ブラジャー部とウエスト部とガードル部とを一体に備え、少なくともブラジャー部のカップ部以外の部分が伸縮性素材から形成されてなるボディスーツであって、後身頃は、２つの伸縮性布地と、帯状背面布とから構成されており、前記２つの伸縮性布地は、右肩紐の接続部から背中に至る部分に設けられた伸縮性布地と左肩紐の接続部から背中に至る部分に設けられた伸縮性布地とが背中部分にて交差して重なり合っており、その下端部は前記帯状背面布の上端部に縫着されており、前記２つの伸縮性布地の左右端部及び前記帯状背面布の左右端部は、前身頃と後身頃とを上下方向全体にわたって繋ぐ側部布に対して縫着されており、前記重なり合った伸縮性布地の上辺同士の交差部分をブラジャー部におけるカップ部のアンダーラインと略同じ高さに設けたことを特徴とするボディスーツであるから、以下に述べる効果を奏する。
すなわち、少なくともブラジャー部のカップ部以外の部分が伸縮性素材から形成されていることによって、身体へのフィット感が良好で優れた体型補整作用を発揮することができるとともに、運動性や着丈の調節が阻害されることない。そして、後身頃における右肩紐の接続部から背中に至る部分に設けられた伸縮性布地と左肩紐の接続部から背中に至る部分に設けられた伸縮性布地とが背中部分にて交差するように前身頃と後身頃とを繋ぐ側部布に対して縫着されているため、従来のボディスーツに比べてボディスーツの上部開口部を大きく拡げることが可能となり、ボディスーツの身体への着脱を非常に容易に行うことが可能となる。従って、従来のボディスーツが包含していた体型の補整機能と着脱の容易さという相反する課題を同時に解決することができる優れたボディスーツを得ることができる。
【００１５】
更に、重なり合った伸縮性布地の上辺同士の交差部分をブラジャー部におけるカップ部のアンダーラインと略同じ高さに設けたことから、身体への着脱の容易さとフィット感をバランス良く両立させることができる。
【図面の簡単な説明】
【図１】本発明に係るボディスーツの正面図である。
【図２】本発明に係るボディスーツの背面図である。
【図３】本発明に係るボディスーツの側面図である。
【図４】本発明に係るボディスーツの特徴を示す説明図である。
【図５】本発明に係るボディスーツを着用した状態を示す正面斜視図である。
【図６】本発明に係るボディスーツを着用した状態を示す背面斜視図である。
【図７】従来のボディスーツの一例を示す背面図である。
【図８】従来のボディスーツの問題点を説明する説明図である。
【符号の説明】
１      ボディスーツ
２      ブラジャー部
２１    カップ部
３      ウエスト部
４      ガードル部
５      肩紐
５１    右肩紐
５２    左肩紐
６      後身頃
７      伸縮性布地
８      伸縮性布地
９      前身頃
１０    右側の側部布
１１    左側の側部布
１５    交差部分
１６    カップ部のアンダーライン
【図１】
0004064609.tif 000002
【図２】
0004064609.tif 000003
【図３】
0004064609.tif 000004
【図４】
0004064609.tif 000005
【図５】
0004064609.tif 000006
【図６】
0004064609.tif 000007
【図７】
0004064609.tif 000008
【図８】
0004064609.tif 000009